(57)【要約】      （修正有）【課題】高齢者や弱視者でも目が疲れることが無く、携帯機器の拡大された表示部を見ながら手を入れて容易にボタン操作をすることのできる拡大レンズであって、膝の上で、あるいはベッドに仰向けに寝た状態ででも携帯機器を手に持って自由に操作ができ、軽くて、かつ、小さく折り畳んで収容しやすい拡大レンズを提供する。【解決手段】拡大レンズはシートレンズ１を用い、シートレンズ１を携帯機器の液晶表示面または操作面を含む面（内側）との間に数センチメートルの空間を設けて水平に保持するために、連結棒２を曲げて吸着盤３と連結し、吸着盤の吸着面をシートレンズに対向させ、携帯機器の外側に吸着させて固定する。またシートレンズ１にスライドレール１１を設けて継ぎ手で接続し、携帯機器の寸法、形状に合わせてシートレンズ１の位置が調整できるようにする。【選択図】図２
0003156931.tif 000002
【実用新案登録請求の範囲】
【請求項１】
シートレンズと吸着盤の吸着面とが対向するように連結棒で接続し、携帯機器の外側に吸着盤を吸着させ、シートレンズと携帯機器との間に水平空間を設けて保持することを特徴とする携帯機器の拡大表示具。
【請求項２】
連結棒が２本で、それぞれが吸着盤と接続されたことを特徴とする請求項１記載の携帯機器の拡大表示具。
【請求項３】
シートレンズにスライドレールを設けて連結棒を嵌合させて接続することを特徴とする請求項１および２記載の携帯機器の拡大表示具。
【考案の詳細な説明】
【技術分野】
【０００１】  本考案は携帯機器の液晶画面を見やすくし、操作をし易くするための安価で製作容易な拡大レンズに関するものである。【０００２】  さらに詳しくは、シートレンズを吸着盤で携帯機器の外側から連結棒を曲げて接続し、シートレンズを携帯機器との間に空間を設けて保持することにより、携帯機器の拡大された表示部を見ながら手に持って自由に操作をすることのできる拡大レンズに関するものである。
【背景技術】
【０００３】  液晶画面を有する各種の携帯機器が開発されているが、小型化と同時に各種機能が付加され高性能化が進んでいる。それに伴って液晶画面の表示情報が増して、文字が小さく表示が見難くなり、機器の操作も複雑になってきている。そこで携帯電話、携帯ゲーム機、携帯辞書、携帯小型パソコンなどの液晶画面や操作面を拡大表示するための各種の拡大鏡が考案、発明されている。【０００４】  しかし拡大レンズを携帯機器へ取り付けるのにスペースが狭くて困難であったり、保持具を携帯機器に挟持させると携帯機器を壊すおそれがあったり、また粘着剤で取り付けると着脱が不便なものであった。（たとえば特許文献１）【０００５】  他の方法では、拡大レンズを取り付けるための特殊な装置の構造が複雑で、折り畳んで収納することが出来ず、また携帯機器の寸法によっては取り付け位置を調整するのが困難であるばかりでなく、取り付け装置が邪魔になり両手を入れて携帯機器を操作しにくいものであった。（たとえば特許文献２）【０００６】  更にまた他の拡大レンズを保持する方法として締め付けネジ、マジックファスナー、万力状に狭着、弾性素材のフレームなども考案されているが、いずれも装置が特殊で携帯性に不便で、ベッドで仰向けに寝た状態では携帯機器の操作ができるものではなかった。（たとえば特許文献３）【０００７】
【特許文献１】特開２０００−１７４８６５号公報
【特許文献２】特開２００３−１４３２８２号公報
【特許文献３】特開２００２−３２３８５９号公報
【考案の開示】
【考案が解決しようとする課題】
【０００８】  高齢者や弱視者でも目が疲れることが無く、携帯機器の拡大された液晶表示部を見ながら手を入れて容易に操作をすることのできる拡大レンズであって、ソファーに掛けて膝の上で、あるいはベッドに仰向けに寝た状態ででも携帯機器を手に持ってボタンやタッチパネルを自由に操作のできる軽い拡大レンズを提供しようとすることである。更には携帯機器の多様な形状、寸法に対応でき、不用な時には簡単に取り外して小さく折り畳んで収容しやすいものを提供することである。
【課題を解決するための手段】
【０００９】  拡大レンズはシートレンズを用い、シートレンズを携帯機器の液晶表示面または操作面を含む面（内側）との間に数センチメートルの空間を設けて水平に保持するために、連結棒を曲げて吸着盤と連結し、吸着盤の吸着面をシートレンズに対向させ、携帯機器の外側に吸着させて固定する。またシートレンズにスライドレールを設けて継ぎ手で接続し、携帯機器の寸法、形状に合わせてシートレンズの位置が調整できるようにする。【００１０】  シートレンズとしてはアクリル、スチレン、塩化ビニルなどのプラスチックで成型された厚さ０．５〜２．５ｍｍ、拡大倍率１．８〜３倍のフレネルレンズを用いる。【００１１】  連結棒は屈曲が自由で自立性のある金属やプラスチックが使用できる。金属の場合は軽くて折り曲げて形状維持のできるアルミニウムや形状記憶合金を用いるのがよい。しかしプラスチックの方がシートレンズの位置を維持しやすく、軽量で製作が容易なので好ましい。なおポリスチレンやＡＢＳなどの硬質のプラスチック棒を使用して自在継手で接続するのがより好ましい。【００１２】  吸着盤は各種形状のものを用いることができ、大きさは直径２〜４ｃｍのものを使用する。手で押しつけるだけのタイプや真空にするタイプのものがあるが、エラストマー製の吸着盤を吸盤カバーからネジやレバーで引き上げることにより吸着盤の内面を真空にすることのできるものが好ましい。【００１３】  携帯機器の躯体は樹脂で成型されており、殆どの場合は成型品の外側には平滑面を有しており吸着盤を強固に吸着固定することができるが、もし成型品に平滑面や吸着させる場所のない場合には平滑面を有する補助板を両面テープなどで貼り付けて吸着させることができる。【００１４】  連結棒は携帯電話などの小さな機器の場合は１本でも良いが、携帯ゲーム機、携帯辞書、携帯小型パソコンなどの大きな機器の場合は２本にした方がシートレンズを水平に保持しやすいので好ましい。【００１５】  シートレンズと連結棒との接続は位置が自由に調整できるようにクリップ留めでも良いが、シートレンズが傾かないようにシートレンズの端に溝を設けてスライドベースとし、継ぎ手を嵌合させてスライドすることにより位置調整できるようにするのが好ましい。
嵌合溝の大きさは深さ約１ｍｍ、巾約２ｍｍとするのがよい。
【考案の効果】
【００１６】  この考案による携帯機器の拡大レンズを用いると高齢者や弱視者や又はベッドで養生中の者でも携帯機器の操作を長時間にわたって疲れることなくすることができる。またシートレンズの固定は吸着盤で携帯機器の外側からするので携帯機器の液晶表示画面を隠すことなく、手を入れてタッチペンやボタンを操作するのにも邪魔にならない。さらにシートレンズと吸着盤とを屈曲させた連結棒で接続しているので多様な寸法、形状の携帯機器にも対応でき、不用な時には簡単に取り外して小さく折り畳んで収容できるものである。
【考案を実施するための最良の形態】
【００１７】  シートレンズとしてはアクリル樹脂製フレネルレンズの長方形のものを用い、その長尺方向の端に溝を設けて連結棒の継ぎ手を嵌合させてスライドできるように接続する。連結棒はポリスチレン樹脂製で２カ所以上の自在継手を持った自在棒とする。吸着盤はレバーで引き上げて真空にするタイプのものを用いる。吸着盤と連結棒との接続は吸着盤の取り付け部に穴を設け自在棒を通すことにより携帯機器に合わせて位置が調整できるようにする。
【実施例】
【００１８】  実施例１
図１に示すような形状のものを携帯電話に用いた。シートレンズ１としては塩化ビニル樹脂製の厚さ約１ｍｍ、縦１５ｃｍ、横７ｃｍ、拡大倍率２倍のものを用いた。継ぎ手４はクリップとし連結棒２と接続した。連結棒は直径約３ｍｍのアルミニウムの棒で継ぎ手と吸着盤３とを連結した。吸着盤は軟質塩化ビニル製で直径３７ｍｍありＡＢＳ樹脂製吸盤カバー３１に内接しており、レバー３２を引き上げることにより真空吸着するものを用いた。この吸着盤をアルミニウムの棒を曲げて携帯電話の外側にカメラレンズを避けて吸着し、シートレンズを液晶の表示面から約４ｃｍの位置に水平に保持し、クリップの位置を調整し固定した。こうして拡大された液晶表示面を見ながら目の疲れを感じることなくメールを打つことができた。【００１９】  実施例２
図２に示すような形状のものをニンテンドーＤＳゲーム機に用いた。シートレンズ１としてはアクリル樹脂製の厚さ約２ｍｍ、縦１７ｃｍ、横１２ｃｍ、拡大倍率２倍ものを用いた。連結棒２としては自在に角度が調整できるものを用いた。自在棒２１、２２は太さ５ｍｍ、長さ５０ｍｍのポリスチレン樹脂成形品の円柱で、自在継ぎ手２３、２４は直径５ｍｍのポリスチレン樹脂成形品の球体がポリエチレンケースの中で自在に回転して開口部から９０度の角度にまで曲げることの出来るものである。これを２本繋げて自在棒としシートレンズの縦方向に設けられたスライドレール１１に継ぎ手４で接続した。自在棒のもう一方の端は軟質塩化ビニル樹脂で作られた直径３５ｍｍの吸着盤３の穴２５に通して接続した。こうしてシートレンズをゲーム機の液晶画面の上方５ｃｍの位置に水平に保持して麻雀ゲームをするのに用いたところ、画面が約１．５倍に拡大されてマージャンパイが見やすくなり、シートレンズの下に手を入れても操作の邪魔にならなかった。さらにソファーに寝そべって楽な姿勢で楽しむこともベッドに仰向けに寝た姿勢でも楽しむことが出来た。
【図面の簡単な説明】
【００２０】
【図１】本考案による吸着盤留め携帯機器の拡大レンズの一実施形態の斜視図である。
【図２】本考案による吸着盤留め携帯機器の拡大レンズの他の一実施形態の斜視図である。
【符号の説明】
【００２１】１    シートレンズ
１１  スライドレール
２    連結棒
２１  自在棒ａ
２２  自在棒ｂ
２３  自在継ぎ手ａ
２４  自在継ぎ手ｂ
２５  自在継ぎ手ｃ
３    吸着盤
３１  吸盤カバー
３２  レバー
４    継ぎ手
【図１】
0003156931.tif 000003
【図２】
0003156931.tif 000004
【手続補正書】
【提出日】平成21年10月29日(2009.10.29)
【手続補正１】
【補正対象書類名】実用新案登録請求の範囲
【補正対象項目名】全文
【補正方法】変更
【補正の内容】
【実用新案登録請求の範囲】
【請求項１】
シートレンズと吸着盤の吸着面とが対向するように連結棒で接続し、携帯機器の外側に吸着盤を吸着させ、シートレンズを携帯機器との間に水平空間を設けて保持することを特徴とする携帯機器の拡大表示具。
【請求項２】
連結棒が２本で、それぞれが吸着盤と接続されたことを特徴とする請求項１記載の携帯機器の拡大表示具。
【請求項３】
シートレンズにスライドレールを設けて連結棒を嵌合させて接続することを特徴とする請求項１または２記載の携帯機器の拡大表示具。
【手続補正２】
【補正対象書類名】明細書
【補正対象項目名】０００６
【補正方法】変更
【補正の内容】
【０００６】  更にまた他の拡大レンズを保持する方法として締め付けネジ、マジックファスナー（登録商標）、万力状に狭着、弾性素材のフレームなども考案されているが、いずれも装置が特殊で携帯性に不便で、ベッドで仰向けに寝た状態では携帯機器の操作ができるものではなかった。
（たとえば特許文献３）
【手続補正３】
【補正対象書類名】明細書
【補正対象項目名】００１９
【補正方法】変更
【補正の内容】
【００１９】  実施例２
図２に示すような形状のものをニンテンドーＤＳ（登録商標）ゲーム機に用いた。シートレンズ１としてはアクリル樹脂製の厚さ約２ｍｍ、縦１７ｃｍ、横１２ｃｍ、拡大倍率２倍のものを用いた。連結棒２としては自在に角度が調整できるものを用いた。自在棒２１、２２は太さ５ｍｍ、長さ５０ｍｍのポリスチレン樹脂成形品の円柱で、自在継ぎ手２３、２４は直径５ｍｍのポリスチレン樹脂成形品の球体がポリエチレンケースの中で自在に回転して開口部から９０度の角度にまで曲げることの出来るものである。これを２本繋げて自在棒としシートレンズの縦方向に設けられたスライドレール１１に継ぎ手４で接続した。自在棒のもう一方の端は軟質塩化ビニル樹脂で作られた直径３５ｍｍの吸着盤３の穴２５に通して接続した。こうしてシートレンズをゲーム機の液晶画面の上方５ｃｍの位置に水平に保持して麻雀ゲームをするのに用いたところ、画面が約１．５倍に拡大されてマージャンパイが見やすくなり、シートレンズの下に手を入れても操作の邪魔にならなかった。さらにソファーに寝そべって楽な姿勢で楽しむことも、ベッドに仰向けに寝た姿勢ででも楽しむことが出来た。